(57)【要約】【課題】  防寒、防雨、日差しを防ぐためのフード付き衣類は、フード部分が直接頭部周辺に接触し、フード部分が動くと視界を妨げるので不便であった。本発明は、頭部周辺を安全で快適な空間を保持し、簡易に着脱して携帯することができる防寒、防雨、日差しを防ぐフード付き衣類を提供する。【手段】  着衣に設けたシートの中央にあるアーム支持部材の空間部にアームの後方に設けた２本のアーム接続紐を通し、アーム接続紐の一端を手に持ち引っ張ることでアーム支持部材の空間部にアームの一部が差込まれ合致し、アームが一定の位置に固定される。アームの先方に設けたフード支持部材の角度をねじで調節し、頭部フードの内側に設けたフード留め物でフード支持部材の先端を留める。さらに、２本のシート接続紐の一端に設けた留め物上部と２本のアーム接続紐の一端に設けた留め物下部を人体の前面の位置で留める。【選択図】図１
2015010312.tif 000002
【特許請求の範囲】
【請求項１】
着衣（１）にシート（２）を設け、シート（２）の先方は、２本のシート接続紐（３）を設け、シート接続紐（３）の一端に留め物上部（４）を設ける。シート（２）の中央には、アーム支持部材（５）を設け、アーム支持部材（５）には、アーム（８）を固定して保持するための空間部（６）を設けた防寒、防雨、日差しを防ぐフード付き衣類。
【請求項２】
アーム（８）の後方は、２本のアーム接続紐（７）を設け、アーム接続紐（７）の一端には、留め物下部（９）を設ける。アーム（８）の先方には、フード支持部材（１０）を設け、フード支持部材（１０）には、角度を調節するねじ（１１）を設けた請求項１の防寒、防雨、日差しを防ぐフード付き衣類。
【請求項３】
アーム支持部材（５）に設けた空間部（６）に２本のアーム接続紐（７）を通し、着衣（１）に設けた４個の切開部（１４）から、２本のアーム接続紐（７）及び２本のシート接続紐（３）を着衣（１）の内側へ通す。アーム接続紐（７）を引っ張るとアーム支持部材（５）の空間部（６）にアーム（８）の一部が合致する。さらに、留め物上部（４）と留め物下部（９）を人体の前面の位置で留める請求項１の防寒、防雨、日差しを防ぐフード付き衣類。
【請求項４】
着衣（１）に設けられた頭部フード（１２）には、通気孔（１５）を設け、頭部フード（１２）の内側には、フード留め物（１３）を設け、フード留め物（１３）でフード支持部材（１０）の先端を留める請求項１の防寒、防雨、日差しを防ぐフード付き衣類。
【発明の詳細な説明】
【技術分野】
【０００１】  本発明は、着衣に頭部周辺を安全で快適な空間を保持しながら、人の体形や動作に支障なく身に付けて使用することができ、簡易に着脱して携帯することができる構成のフードを設けた防寒、防雨、日差しを防ぐフード付き衣類に関するものである。
【背景技術】
【０００２】  従来、防寒、防雨、日差しを防ぐフード付き衣類は、雨合羽、ドーム型ヘッドを有する雨具（特許文献１）、頭部を覆う数本のフレーム間にビニール等の生地を張りつめた構造の雨合羽及びレインコート（特許文献２）等がある。
【先行技術文献】
【０００３】
【特許文献１】特開２００５−８２９５１号公報
【特許文献２】特開２０１２−７２７９号公報
【発明の概要】
【発明が解決しようとする課題】
【０００４】  従来の防寒、防雨、日差しを防ぐフード付き衣類は、次のような欠点があった。
雨合羽は、フード部分を支えるものがなく、フード部分が直接頭部周辺に接触して、フード部分が動くと視界を妨げるので、頭部周辺を安全で快適な空間を保持することができない。また、一定の骨組みで構成された雨具は、人の体形や動作に支障なく身に付けて使用することが困難であり、簡易に着脱して携帯することができないため不便である。
本発明は、以上のような欠点をなくすために発明されたものである。
【課題を解決するための手段】
【０００５】  着衣（１）にシート（２）を設け、シート（２）の先方は、２本のシート接続紐（３）を設け、シート接続紐（３）の一端に留め物上部（４）を設ける。シート（２）の中央には、アーム支持部材（５）を設け、アーム支持部材（５）には、アーム（８）を固定して保持するための空間部（６）を設ける。【０００６】  アーム（８）の後方は、２本のアーム接続紐（７）を設け、アーム接続紐（７）の一端には、留め物下部（９）を設ける。アーム（８）の先方には、フード支持部材（１０）を設け、フード支持部材（１０）には、角度を調節するねじ（１１）を設ける。【０００７】  アーム支持部材（５）に設けた空間部（６）に２本のアーム接続紐（７）を通し、着衣（１）に設けた４個の切開部（１４）から、２本のアーム接続紐（７）及び２本のシート接続紐（３）を着衣（１）の内側へ通す。アーム接続紐（７）の一端を手に持ち引っ張ることでアーム（８）が空間部（６）に引き寄せられアーム支持部材（５）の空間部（６）にアーム（８）の一部が合致することでアーム（８）が一定の位置に固定されて保持される。さらに、留め物上部（４）と留め物下部（９）を人体の前面の位置で留めることで着衣（１）に設けたシート（２）と人体が密着してアーム（８）が安定する。【０００８】  着衣（１）に設けられた頭部フード（１２）には、通気孔（１５）を設け、頭部フード（１２）の内側には、フード留め物（１３）を設け、フード留め物（１３）でフード支持部材（１０）の先端を留めて、頭部フード（１２）を固定して保持する。
以上の構成よりなる。
【発明の効果】
【０００９】  本発明を使用することによって、人の体形や動作に支障なく身に付けて使用することができ、簡易に着脱して携帯することができる構成のフードにより、頭部周辺を安全で快適な空間を保持しながら、頭部周辺の防寒、防雨、日差しを防ぐことができる。また、フード部分を支えるアーム等は、着衣から取外し、分離して管理することができるため合理的である。
【図面の簡単な説明】
【００１０】
【図１】  本発明の使用状態を示した正面図
【図２】  本発明の使用状態を示した背面図
【図３】  本発明のアームの斜視図
【図４】  本発明のシートの斜視図
【図５】  本発明のアームが収容された状態を示す斜視図
【図６】  本発明のアーム支持部材の空間部とアームが合致した状態を示す斜視図
【図７】  本発明のフード部分を収容して携帯した状態を示す斜視図
【発明を実施するための最良の形態】
【００１１】  以下、本発明の実施の形態を説明する。
図４、図５が示す通り着衣（１）の背面にシート（２）を設け、シート（２）の先方には、柔軟な２本のシート接続紐（３）を設け、シート接続紐（３）の一端にマジックテープ等の留め物上部（４）を設ける。シート（２）の中央には、アーム支持部材（５）を設け、アーム支持部材（５）には、アーム（８）を固定して保持するための空間部（６）をアーム支持部材（５）の内側に設ける。
また、シート（２）は、着衣（１）に縫製、接着、ボタン等の留具で設けることが可能であるが、安全で安定した使用をするためには、縫製又は接着が望ましい。【００１２】  図３が示す通りアーム（８）の後方には、柔軟な２本のアーム接続紐（７）を設け、アーム接続紐（７）の一端にマジックテープ等の留め物下部（９）を設ける。アーム（８）の先方は、フード支持部材（１０）を設け、フード支持部材（１０）には、角度を調節するねじ（１１）を設ける。【００１３】  図５が示す通り空間部（６）に２本のアーム接続紐（７）を通し、アーム接続紐（７）及びシート接続紐（３）を、着衣（１）に設けた４個の切開部（１４）から、着衣（１）の内側へ通した状態から、アーム接続紐（７）の一端を手に持ち、引っ張ることでアーム（８）が空間部（６）に引き寄せられ、図６に示す通り空間部（６）にアーム（８）の一部が差込まれ、合致することでアーム（８）が一定の位置に固定されて保持される。さらに、図２、図６が示す通りシート接続紐（３）の一端に設けた留め物上部（４）と、アーム接続紐（７）の一端に設けた留め物下部（９）を体の前面の位置で留めることで、着衣（１）に設けたシート（２）と人体が密着してアーム（８）が安定する。【００１４】  図１、図２が示す通り着衣（１）に頭部周辺を覆う、頭部フード（１２）を設け、頭部フード（１２）には、通気孔（１５）を設け、頭部フード（１２）の内側は、マジックテープ等のフード留め物（１３）を設け、フード支持部材（１０）の先端を留める。
本発明は、以上の構成よりなる。【００１５】  本発明を使用する場合は、図５が示す通り着衣（１）にシート（２）を設け、アーム支持部材（５）の空間部（６）に２本のアーム接続紐（７）を通して、２本のアーム接続紐（７）及び２本のシート接続紐（３）が４個の切開部（１４）から着衣（１）の内側へ通された状態から、アーム接続紐（７）の一端を手に持ち引っ張ることでアーム（８）が空間部（６）に引き寄せられ、図６に示す通りアーム支持部材（５）の空間部（６）にアーム（８）の一部が差込まれ、合致することで、アーム（８）が固定されたらフード支持部材（１０）を適切な角度に調節し、ねじ（１１）により固定する。【００１６】  次に図２、図６が示す通りシート接続紐（３）は、肩の上から人体の前面に通し、アーム接続紐（７）は、脇の下から人体の前面に通して留め物上部（４）と留め物下部（９）を体の前面の位置で留めることで着衣（１）に設けたシート（２）と人体が密着してアーム（８）が安定し、安全に使用することができる。【００１７】  図１、図２が示す通りフード支持部材（１０）の上から頭部フード（１２）を覆い、頭部フード（１２）の内側に設けられたマジックテープ等のフード留め物（１３）でフード支持部材（１０）の先端を留めて固定することで、頭部フード（１２）が頭部周辺を安全で快適な空間を保持することができる。【００１８】  頭部フード（１２）を使用しないときは、人体の前面で留められた留め物上部（４）と留め物下部（９）を解除し、フード支持部材（１０）の先端を留めて固定していたフード留め物（１３）を解除し、ねじ（１１）を緩めて、フード支持部材（１０）の角度を調節し、フード支持部材（１０）又は、アーム（８）を手に持ち、上方向に持ち上げて、合致したアーム（８）をアーム支持部材（５）の空間部（６）から取外したら、図７が示す通り人体の背面へ収容し、携帯することができる。
【符号の説明】
【００１９】    １  着衣
２  シート
３  シート接続紐
４  留め物上部
５  アーム支持部材
６  空間部
７  アーム接続紐
８  アーム
９  留め物下部
１０  フード支持部材
１１  ねじ
１２  頭部フード
１３  フード留め物
１４  切開部
１５  通気孔
１６  頭部前面
１７  後頭部
【図１】
2015010312.tif 000003
【図２】
2015010312.tif 000004
【図３】
2015010312.tif 000005
【図４】
2015010312.tif 000006
【図５】
2015010312.tif 000007
【図６】
2015010312.tif 000008
【図７】
2015010312.tif 000009